(57)【要約】【課題】  表示装置が壊れることで、表示内容が残ってしまうことを防止すること。【解決手段】  データビューア１が物理的に破損する衝撃以上の衝撃が加わった場合に（ステップＳ１０１「Ｙｅｓ」）、データビューア１が壊れると判断し、記憶性表示体５の全ての画素を白色とするようにした（ステップＳ１０２）。そのため、強い衝撃が記憶性表示体５に伝わってガラス板である表示面や透明電極と表示体駆動部４との接合部が破損し、記憶性表示体５を駆動できなくなる前、つまり、データビューア１が壊れる前に、表示内容を閲覧困難な状態とすることができ、その結果、データビューア１が物理的に破損することで、表示内容が消せずに残ってしまうことを防止することができる。【選択図】  図３
2007102110.tif 000002
【特許請求の範囲】
【請求項１】
電力の供給がなくなってもそれまでの表示内容をそのまま表示し続ける記憶性表示体に情報を表示させる記憶性表示装置であって、
前記表示装置が壊れることを予測する予測手段と、前記予測手段で前記表示体が壊れることが予測されると、前記記憶性表示体の表示状態を前記情報の閲覧が困難な表示状態とする制御手段と、を備えたことを特徴とする記憶性表示装置。
【請求項２】
前記予測手段は、前記表示装置に加わる衝撃を検出する衝撃検出手段と、前記衝撃検出手段で所定値以上の衝撃が検出されると前記表示体が壊れると判断する破壊判断手段と、を備えたことを特徴とする請求項１に記載の記憶性表示装置
【請求項３】
前記予測手段は、前記表示装置の加速度を検出する加速度検出手段と、前記加速度検出手段で所定値以上の加速度が検出されると前記表示体が壊れると判断する破壊判断手段と、を備えたことを特徴とする請求項１に記載の記憶性表示装置
【請求項４】
前記加速度検出手段で所定方向に対する加速度が検出されてから前記所定方向に対する加速度がある閾値以下になるまでの間に前記表示装置の速度を検出する速度検出手段と、前記情報の閲覧が困難な表示状態とされた後に、前記速度検出手段で検出された速度が所定値以下となった場合には、前記記憶性表示体に前記情報を閲覧可能な状態で再び表示させる再表示手段と、を備えたことを特徴とする請求項３に記載の記憶性表示装置
【請求項５】
前記予測手段は、前記表示装置に作用する圧力を検出する圧力検出手段と、前記圧力検出手段で所定値以上の圧力が検出されると前記表示体が壊れると判断する破壊判断手段と、を備えたことを特徴とする請求項１に記載の記憶性表示装置
【請求項６】
前記予測手段は、前記表示装置の周囲の温度を検出する温度検出手段と、前記温度検出手段で第１の所定値以上の温度が検出されると又は前記温度検出手段で第２の所定値以下の温度が検出されると前記表示体が壊れると判断する破壊判断手段と、を備えたことを特徴とする請求項１に記載の記憶性表示装置
【請求項７】
前記予測手段は、前記表示装置の周囲の湿度を検出する湿度検出手段と、前記湿度検出手段で所定値以上の湿度が検出されると前記表示体が壊れると判断する破壊判断手段と、を備えたことを特徴とする請求項１に記載の記憶性表示装置
【発明の詳細な説明】
【技術分野】
【０００１】
本発明は、電力の供給がなくなってもそれまでの表示内容をそのまま表示し続ける記憶性表示体に情報を表示させる記憶性表示装置に関する。
【背景技術】
【０００２】
昨今、電子ペーパーと呼ばれる記憶性表示体を有する表示装置の実用化が進められている。このような表示装置にあっては、表示内容の書換え時にのみ電力を消費し、表示内容の保持には電力を消費しないため、表示内容の保持にも電力を消費してしまう非記憶性の表示装置に比べ、圧倒的に消費電力が少なくて済み、容量の少ない電池で装置を構成することができる。そのため、装置の軽量化・小型化・薄型化を実現することができ、紙や書籍のように、手に持って読む装置を実現することができる（例えば、特許文献１参照）。
【特許文献１】特開２００２−３５７８５３号公報
【発明の開示】
【発明が解決しようとする課題】
【０００３】
しかしながら、記憶性表示体を有する表示装置にあっては、その記憶性のために、例えば、機密性の高い情報を表示させて、手に持って読んでいるときに、手から装置を滑らせ、落下させるなどして強い衝撃が加わり、ガラスが割れるなど記憶性表示体が物理的に壊れてしまい、記憶性表示体を駆動できなくなった場合に、表示内容（前記機密性の高い情報の表示）が残ってしまい、その結果、修理に出すことができなくなる恐れがあった。
【０００４】
本発明は、上記従来の表示装置の未解決の問題点を解決することを目的とするものであって、表示装置が壊れることで、表示内容が消せずに残ってしまうことを防止できる記憶性表示装置を提供することを課題とする。
【課題を解決するための手段】
【０００５】
上記課題を解決するために、本発明の記憶性表示装置は、電力の供給がなくなってもそれまでの表示内容をそのまま表示し続ける記憶性表示体に情報を表示させる表示装置であって、前記表示装置が壊れることを予測する予測手段と、前記予測手段で前記表示体が壊れることが予測されると、前記記憶性表示体の表示状態を前記情報の閲覧が困難な表示状態とする制御手段と、を備えたことを特徴とする。
【０００６】
このような構成によれば、表示装置が壊れる前に表示内容を閲覧困難な状態とすることができ、表示装置が壊れることで、表示内容が消せずに残ってしまうことを防止できる。
また、前記予測手段は、前記表示装置に加わる衝撃を検出する衝撃検出手段と、前記衝撃検出手段で所定値以上の衝撃が検出されると前記表示体が壊れると判断する破壊判断手段と、を備えるようにしてもよい。
【０００７】
このような構成によれば、表示装置を物理的に破損させるような衝撃が加わったとき、つまり、表示装置が壊れる前に表示内容を閲覧困難な状態とすることができ、表示装置が物理的に破損することで、表示内容が消せずに残ってしまうことを防止できる。
また、前記予測手段は、前記表示装置の加速度を検出する加速度検出手段と、前記加速度検出手段で所定値以上の加速度が検出されると前記表示体が壊れると判断する破壊判断手段と、を備えるようにしてもよい。
【０００８】
このような構成によれば、表示装置を落下させてしまい、鉛直方向の加速度が発生したときに、表示内容を閲覧困難な状態とすることができ、例えば、衝撃が加わったときに表示内容を閲覧困難な状態とする方法に比べ、表示状態の変更に用いることができる時間をより多く確保することができ、応答速度の遅い記憶性表示装置にあっても、表示装置が物理的に破損することで、表示内容が消せずに残ってしまうことを防止できる。
【０００９】
さらに、前記加速度検出手段で所定方向に対する加速度が検出されてから前記所定方向に対する加速度がある閾値以下になるまでの間に前記表示装置の速度を検出する速度検出手段と、前記情報の閲覧が困難な表示状態とされた後に、前記速度検出手段で検出された速度が所定値以下となった場合には、前記記憶性表示体に前記情報を閲覧可能な状態で再び表示させる再表示手段と、を備えるようにしてもよい。
【００１０】
このような構成によれば、表示装置の加速度及び速度が低いとき、つまり、表示装置は物理的に破損しないと判断できるときに、表示内容を再表示させることができる。そのため、単に表示装置の移動時や持ち運び時に加速度が検出されて、表示内容が誤って閲覧不可能な表示状態とされた場合に、表示内容を閲覧可能な状態に戻すことができる。
また、前記予測手段は、前記表示装置に作用する圧力を検出する圧力検出手段と、前記圧力検出手段で所定値以上の圧力が検出されると前記表示体が壊れると判断する破壊判断手段と、を備えるようにしてもよい。
【００１１】
このような構成によれば、表示装置を物理的に破損させるような圧力が加わったとき、つまり、表示装置が壊れる前に表示内容を閲覧困難な状態とすることができ、表示装置が物理的に破損することで、表示内容が消せずに残ってしまうことを防止できる。
さらに、前記予測手段は、前記表示装置の周囲の温度を検出する温度検出手段と、前記温度検出手段で第１の所定値以上の温度が検出されると又は前記温度検出手段で第２の所定値以下の温度が検出されると前記表示体が壊れると判断する破壊判断手段と、を備えるようにしてもよい。
【００１２】
このような構成によれば、表示装置を破損させるような熱が加わったとき、又は冷気が作用したとき、つまり、表示装置が壊れる前に表示内容を閲覧困難な状態とすることができ、表示装置が破損することで、表示内容が消せずに残ってしまうことを防止できる。
また、前記予測手段は、前記表示装置の周囲の湿度を検出する湿度検出手段と、前記湿度検出手段で所定値以上の湿度が検出されると前記表示体が壊れると判断する破壊判断手段と、を備えるようにしてもよい。
【００１３】
このような構成によれば、表示装置を電気的に破損させるような湿度となったとき、つまり、表示装置が壊れる前に表示内容を閲覧困難な状態とすることができ、表示装置が電気的に破損することで、表示内容が消せずに残ってしまうことを防止できる。
【発明を実施するための最良の形態】
【００１４】
以下、本発明の記憶性表示装置を、各種情報を切り換え表示して閲覧させるデータビューアに適用した例を図面に基づいて説明する。
即ち、このデータビューアは、切り換え表示要求があると、記憶性表示体に情報を切り換え表示させるようになっている。また、データビューアは、データビューアに加わる衝撃を検出し、所定閾値以上の衝撃が検出されると、データビューアが壊れると判断し、記憶性表示体の全ての画素を白色とするようになっている。
【００１５】
＜第１実施形態＞
＜データビューアの構成＞
図１は、本実施形態のデータビューアの外観を示す構成図である。また、図２は、本実施形態のデータビューアの内部構成を示すブロック図である。この図１及び図２に示すように、データビューア１は、衝撃検出センサ２、表示体駆動制御回路３、表示体駆動部４、記憶性表示体５、及び衝撃吸収材６を含んで構成される。
【００１６】
衝撃検出センサ２は、データビューア１の筐体に固定され、データビューア１に加わる衝撃を電圧に変換する圧電素子であり、その電圧を表示体駆動制御回路３に出力する。
表示体駆動制御回路３は、情報の切り換え表示要求があると、要求のあった情報が表示されるように記憶性表示体５を駆動させる書換指令を表示体駆動部４に出力する。
また、表示体駆動制御回路３は、所定時間（例えば、１０msec.）が経過するたびに、画像消去処理（後述）を実行し、衝撃検出センサ２から出力される電圧が示す衝撃が所定閾値（データビューア１が物理的に破損する衝撃、予め計測された実験値）以上である場合には、データビューア１が壊れると判断し、記憶性表示体５の全ての画素が白色となるように記憶性表示体５を駆動させる表示消去指令を表示体駆動部４に出力する。
【００１７】
表示体駆動部４は、表示体駆動制御回路３から書換指令が出力されると、その出力された書換指令に応じた情報が表示されるように記憶性表示体５を駆動する。
また、表示体駆動部４は、表示体駆動制御回路３から表示消去指令が出力されると、記憶性表示体５の全ての画素が白色となるように記憶性表示体５を駆動する。具体的には、表示体駆動部４は、記憶性表示体５の全ての画素に最大駆動電圧を所定時間（例えば、２０msec.）印加した後、すぐに駆動電圧０を印加する。そして、記憶性表示体５の各画素を構成しているコレステリック液晶（後述）の配向状態を、光を反射するプレーナー配向状態（白色を表示する状態）とすることで、表示内容を消去するようになっている。
【００１８】
記憶性表示体５は、コレステリック液晶が互いに直行する方向に伸びている複数の透明電極（不図示）及び２枚のガラス板（不図示）で挟み込まれて構成され、各透明電極の交差部に画素が形成されている。そして、記憶性表示体５は、それら複数の透明電極に電圧を印可することで、各画素に電圧を印可できる（駆動できる）ようになっている。
衝撃吸収材６は、記憶性表示体５と筐体との間（記憶性表示体５の四隅）に配され、ゴムなどの弾力性を有する高分子素材であり、筐体から記憶性表示体５に伝わる衝撃を吸収し、衝撃が加わってから記憶性表示体５が破損するまでに掛かる時間を長引かせる。
【００１９】
＜表示体駆動制御回路の動作＞
次に、表示体駆動制御回路３で実行される画像消去処理を、図３のフローチャートに基づいて説明する。この画像消去処理は、まず、そのステップＳ１０１で、衝撃検出センサ２から出力される電圧が示す衝撃が所定閾値（データビューア１が物理的に破損する衝撃）以上であるか否かを判定する。所定閾値以上である場合には（Ｙｅｓ）ステップＳ１０２に移行し、所定閾値より小さい場合には（Ｎｏ）この判定を繰り返し実行する。
前記ステップＳ１０２では、データビューア１が壊れると判断し、表示消去指令を表示体駆動部４に出力してから、この演算処理を終了する。
【００２０】
＜データビューアの具体的動作＞
次に、本実施形態のデータビューア１の動作を図面に基づいて具体的に説明する。
まず、機密性の高い情報を表示させて、手に持って読んでいるときに、手から装置を滑らせ、落下させて強い衝撃（データビューア１が物理的に破損する衝撃）が筐体に加わったとする。すると、衝撃検出センサ２により、前記衝撃が電圧に変換されて表示体駆動制御回路３に出力され、また、筐体から記憶性表示体５に伝わる衝撃が衝撃吸収材６で吸収され、記憶性表示体５が破損するまでに掛かる時間が長くなる（例えば、数十msec.）。
【００２１】
そして、記憶性表示体５が破損するまでの間に、表示体駆動制御回路３により、まず、画像消去処理のステップＳ１０１の判定が「Ｙｅｓ」となり、ステップＳ１０２で、データビューア１が壊れると判断され、表示消去指令が表示体駆動部４に出力される。
また、表示体駆動部４により、記憶性表示体５の全ての画素に最大駆動電圧が所定時間（２０msec.）印加された後、すぐに駆動電圧０が印加される。そして、記憶性表示体５の各画素を構成しているコレステリック液晶の配向状態がプレーナー配向状態となり、全ての画素が白色となり、それまで表示させていた機密性の高い情報が消去される。
【００２２】
このように、本実施形態のデータビューア１にあっては、データビューア１が物理的に破損する衝撃以上の衝撃が加わった場合に、データビューア１が壊れると判断し、記憶性表示体５の全ての画素を白色とするようにした。そのため、強い衝撃が記憶性表示体５に伝わってガラス板である表示面や透明電極と表示体駆動部４との接合部が破損し、記憶性表示体５を駆動できなくなる前、つまり、データビューア１が壊れる前に、それまで表示させていた表示内容を消去することができ、その結果、データビューア１が物理的に破損することで、表示内容が消せずに残ってしまうことを防止することができる。
【００２３】
＜第２実施形態＞
次に、本発明の表示装置の第２実施形態を図面に基づいて説明する。
この第２実施形態は、データビューア１の加速度を検出し、所定閾値（重力加速度）以上の加速度が検出されると、データビューア１が壊れると判断し、記憶性表示体５の全ての画素を白色とするようにした点が、前記第１実施形態と異なる。
具体的には、この第２実施形態にあっては、図４に示すように、前記第１実施形態の衝撃検出センサ２に代えて加速度検出センサ７が設けられ、また、図５に示すように、前記第１実施形態のステップＳ１０１に代えてステップＳ２０１が設けられている。
【００２４】
加速度検出センサ７は、データビューア１の３軸方向の加速度をそれぞれ電圧に変換する圧電素子であり、それらの電圧を表示体駆動制御回路３に出力する。
また、ステップＳ２０１では、加速度検出センサ７から出力される電圧が示す加速度に基づいて任意方向の加速度を算出し、その算出結果が所定閾値（重力加速度）以上であるか否かを判定する。所定閾値以上である場合には（Ｙｅｓ）ステップＳ１０２に移行し、所定閾値より小さい場合には（Ｎｏ）この判定を繰り返し実行する。
【００２５】
＜データビューアの具体的動作＞
次に、本実施形態のデータビューア１の動作を図面に基づいて具体的に説明する。
まず、機密性の高い情報を表示させて、手に持って読んでいるときに、手から装置を滑らせて落下させたとする。すると、加速度検出センサ７により、データビューア１の３軸方向の加速度（重力加速度）が電圧に変換されて表示体駆動制御回路３に出力される。
そして、図６に示すように、加速度が生じてからデータビューア１が床面に衝突して衝撃が加わるまでの間に（床面までの距離に応じた落下時間に）、表示体駆動制御回路３により、まず、画像消去処理のステップＳ２０１の判定が「Ｙｅｓ」となり、ステップＳ１０２で、データビューア１が壊れると判断され、表示消去指令が表示体駆動部４に出力される。また、表示体駆動部４により、記憶性表示体５のコレステリック液晶の配向状態がプレーナー配向状態となり、それまで表示させていた機密性の高い情報が消去される。
【００２６】
このように、本実施形態のデータビューア１にあっては、重力加速度以上の加速度が生じた場合に、データビューア１が壊れると判断し、記憶性表示体５の全ての画素を白色とするようにした。そのため、例えば、強い衝撃が加わったときに表示内容を閲覧困難な状態とする方法に比べ、表示状態の変更に用いることができる時間をより多く確保することができ、応答速度の遅い記憶性表示体５を用いた場合にあっても、データビューア１が物理的に破損することで、表示内容が消せずに残ってしまうことを防止できる。
【００２７】
＜第３実施形態＞
次に、本発明の記憶性表示装置の第３実施形態を図面に基づいて説明する。
この第３実施形態は、データビューア１を移動させ、加速度を生じることで、記憶性表示体５の全ての画素が白色となってしまった場合に、白色となる前の表示内容を記憶性表示体５に再び表示させるようにした点が、前記第２実施形態と異なる。
具体的には、この第３実施形態にあっては、図７に示すように、前記第２実施形態のステップＳ１０２の後にステップＳ３０１〜Ｓ３０３が設けられている。
【００２８】
ステップＳ３０１では、加速度検出センサ７から出力される電圧が示す加速度に基づいて任意方向の加速度を算出し、その算出結果が第１の閾値（重力加速度）以下であるか否かを判定する。第１の閾値より小さい場合には（Ｙｅｓ）ステップＳ３０２に移行し、第１の閾値以上である場合には（Ｎｏ）この判定を繰り返し実行する。
前記ステップＳ３０２で、加速度検出センサ７から出力される電圧が示す加速度の単位時間当たりの積分値（任意方向の速度）が第２の閾値（データビューア１が衝突しても破壊しない程度の速度）以下であるか否かを判定する。第２の閾値以下である場合には（Ｙｅｓ）ステップＳ３０３に移行し、第２の閾値より大きい場合には（Ｎｏ）この判定を繰り返し実行する。
【００２９】
前記ステップＳ３０３では、前記ステップＳ１０２で表示体消去指令が出力されたときに記憶性表示体５に表示されていた情報が再び表示されるように記憶性表示体５を駆動させる再表示指令を表示体駆動部４に出力してから、この演算処理を終了する。
【００３０】
＜データビューア１の具体的動作＞
次に、本実施形態のデータビューア１の動作を具体的状況に基づいて説明する。
まず、図８の時刻Ｔ＝０に示すように、机上の位置Ｘにあるデータビューア１を位置Ｙに置くために、持ち上げて移動し、位置Ｘから位置Ｙに向かう方向に重力加速より大きい加速度ａがデータビューア１に生じたとする。すると、加速度検出センサ７により、データビューア１に生じた加速度が電圧に変化されて表示体駆動制御回路３に出力される。
そして、時刻Ｔ＝ｗ、２ｗに、表示体駆動制御回路３により、画像消去処理のステップＳ２０１の判定が「Ｙｅｓ」となり、ステップＳ１０２で、表示消去指令が表示体駆動部４に出力される。また、表示体駆動部４により、記憶性表示体５のコレステリック液晶の配向状態がプレーナー配向状態となり、それまで表示させていた情報が消去される。
【００３１】
また、時刻Ｔ＝２ｗに、それまでと逆方向の加速度（−ａ）がデータビューア１に生じたとする。すると、ステップＳ３０１の判定が「Ｙｅｓ」となり、また、時刻Ｔ＝３ｗ、４ｗに、データビューア１の速度が第２の閾値以下になったとすると、ステップＳ３０２の判定が「Ｙｅｓ」となり、ステップＳ３０３で、再表示指令が表示体駆動部４に出力される。そして、表示体駆動部４により、前記消去された情報が再び表示される。
【００３２】
このように、本実施形態のデータビューア１にあっては、記憶性表示体５の全ての画素が白色とされた後に、データビューア１の速度が第２の閾値以下となった場合には、白色となる前（消去前）の表示内容を記憶性表示体５に再び表示させるようにした。そのため、データビューア１の加速度及び速度が低いとき、つまり、データビューア１は物理的に破損しないと判断できるときに、表示内容を再表示させることができる。そのため、単にデータビューア１の移動時や持ち運び時に加速度が検出されて、表示内容が誤って閲覧不可能な表示状態とされた場合に、表示内容を閲覧可能な状態に戻すことができる。
【００３３】
上記実施形態では、図１及び図２の衝撃検出センサ２及び表示体駆動制御回路３、図３のステップＳ１０１、図５のステップＳ２０１が特許請求の範囲に記載の予測手段を構成し、以下同様に、図１及び図２の表示体駆動制御回路３、図３、図５及び図７のステップＳ１０２が制御手段を構成し、図１及び図２の衝撃検出センサ２が衝撃検出手段を構成し、図３のステップＳ１０１、図５のステップＳ２０１が破壊判断手段を構成し、図４の加速度検出センサ７が加速度検出手段を構成し、図１及び図２の表示体駆動制御回路３、図４の加速度検出センサ７、図７のステップＳ３０２が速度検出手段を構成し、図１及び図２の表示体駆動制御回路３、図７のステップＳ３０３が再表示手段を構成する。
【００３４】
なお、本発明の記憶性表示装置は、上記実施の形態の内容に限定されるものではなく、本発明の趣旨を逸脱しない範囲で適宜変更可能である。
例えば、記憶性表示体５として、コレステリック液晶を利用した表示体を用いる例を示したが、これに限られるものではない。例えば、電気泳動方式の表示体を用いてもよい。
また、加速度検出センサ７として、３軸方向の加速度を電圧に変換する圧電素子を用いる例を示したが、これに限られるものではない。例えば、ジャイロを用いてもよい。
【００３５】
さらに、所定閾値以上の衝撃又は加速度を検出した場合に、記憶性表示体５の全ての画素を白色とする例を示したが、これに限られるものではない。例えば、データビューア１（特に、壊れやすい記憶性表示体５）に作用する圧力を検出する圧力センサを設け、図９に示すように、所定閾値以上の圧力が検出された場合に、データビューア１が壊れると判断し、記憶性表示体５の全ての画素を白色とするようにしてもよい（ステップＳ４０１、Ｓ１０２）。そのようにすれば、データビューア１を物理的に破損させるような圧力が加わったとき、つまり、データビューア１が壊れる前に記憶性表示体５の全ての画素を白色とすることができ、データビューア１が物理的に破損することで、表示内容が消せずに残ってしまうことを防止することができる。
【００３６】
また、データビューア１の温度を検出する温度センサ（例えば、サーミスタ）を設け、図１０に示すように、第１の閾値（例えば、２００°）以上の温度が検出されると又は第２の閾値（例えば、―５０°）以下の温度が検出された場合に、データビューア１が壊れると判断し、記憶性表示体５の全ての画素を白色とするようにしてもよい（ステップＳ５０１、Ｓ５０２、Ｓ１０２）。そのようにすれば、データビューア１を破損させるような熱が加わったとき、又は冷気が作用したとき、つまり、データビューア１が壊れる前に記憶性表示体５の全ての画素を白色とすることができ、データビューア１が破損することで、表示内容が消せずに残ってしまうことを防止できる。
【００３７】
さらに、データビューア１の周囲の湿度を検出する湿度センサ（例えば、湿度に応じて抵抗値が変化するセンサ）を設け、図１１に示すように、所定閾値以上の湿度が検出された場合に、データビューア１が壊れると判断し、記憶性表示体５の全ての画素を白色とするようにしてもよい（ステップＳ６０１、Ｓ１０２）。そのようにすれば、データビューア１を電気的に破損させるような湿度となったとき、つまり、データビューア１が壊れる前に記憶性表示体５の全ての画素を白色とすることができ、データビューア１が電気的に破損することで、表示内容が消せずに残ってしまうことを防止できる。
【００３８】
また、温度センサと湿度センサとの両方を設け、図１２に示すように、第１の閾値（例えば、５０％）以上の湿度が検出され、且つ、第２の閾値（例えば、７０°）以上の温度が検出された場合に、データビューア１が壊れると判断し、記憶性表示体５の全ての画素を白色とするようにしてもよい（ステップＳ７０１、Ｓ７０２、Ｓ１０２）。
さらに、全ての画素を白色とすることで、それまでの表示内容を消去する例を示したが、これに限られるものではない。例えば、全ての画素を黒色とするようにしてもよい。
【００３９】
また、表示内容の全てを消去する例を示したが、これに限られるものではない。例えば、重要な情報が表示されている画素のみを白色又は黒色とすることで、記憶性表示体５の表示状態をそれまでの表示内容の閲覧が困難な表示状態とするようにしてもよい。
【図面の簡単な説明】
【００４０】
【図１】第１実施形態のデータビューアの概略構成を示す構成図である。
【図２】図１のデータビューアの内部構成を示すブロック図である。
【図３】図２の表示体駆動制御回路の画像消去処理を示すフローチャートである。
【図４】第２実施形態のデータビューアの内部構成を示すブロック図である。
【図５】第２実施形態の画像消去処理を示すフローチャーである。
【図６】第２実施形態の動作を説明するための説明図である。
【図７】第３実施形態の画像消去処理を示すフローチャートである。
【図８】第３実施形態の動作を説明するための説明図である。
【図９】本発明の変形例を説明するための説明図である。
【図１０】本発明の変形例を説明するための説明図である。
【図１１】本発明の変形例を説明するための説明図である。
【図１２】本発明の変形例を説明するための説明図である。
【符号の説明】
【００４１】
１はデータビューア、２は衝撃検出センサ、３は表示体駆動制御回路、４は表示体駆動部、５は記憶性表示体、６は衝撃吸収材、７は加速度検出センサ
【図１】
2007102110.tif 000003
【図２】
2007102110.tif 000004
【図３】
2007102110.tif 000005
【図４】
2007102110.tif 000006
【図５】
2007102110.tif 000007
【図６】
2007102110.tif 000008
【図７】
2007102110.tif 000009
【図８】
2007102110.tif 000010
【図９】
2007102110.tif 000011
【図１０】
2007102110.tif 000012
【図１１】
2007102110.tif 000013
【図１２】
2007102110.tif 000014